【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
光学タッチスクリーンセンサーの部品として使用される光学導波管であって、
前記導波管が、実質的にフレキシブルな基板上に導光部を含み、
前記導光部が、前記光学タッチスクリーンセンサーの操作温度未満であるガラス転移温度を有するポリマーから構成される光学導波管。
【請求項２】
前記光学タッチスクリーンセンサーの前記操作温度が、０℃から５０℃の範囲である請求項１に記載の光学導波管。
【請求項３】
前記導光部が、１００℃未満、好ましくは５０℃未満、さらに好ましくは２５℃未満、及び最も好ましくは１０℃未満のガラス転移温度を有するポリマーから構成される請求項１又は２に記載の光学導波管。
【請求項４】
前記基板が、ポリマー基板である請求項１から３のいずれか一項に記載の光学導波管。
【請求項５】
前記導光部が、前記ポリマー基板のガラス転移温度よりも小さなガラス転移温度を有するポリマーから構成される請求項４に記載の光学導波管。
【請求項６】
前記ポリマー基板が、８０℃を超える、好ましくは１５０℃を超える及び最も好ましくは３５０℃を超えるガラス転移温度を有する請求項４又は５に記載の光学導波管。
【請求項７】
前記導光部が、前記基板の上に硬化性液体ポリマー材料を堆積し、架橋ポリマー材料を形成するためにそれを硬化することによって形成される請求項１から６のいずれか一項に記載の光学導波管。
【請求項８】
前記硬化性液体ポリマー材料が、実質的に不揮発性である請求項７に記載の光学導波管。
【請求項９】
前記硬化性液体ポリマー材料が、紫外線開始フリーラジカル重合によって硬化される請求項７又は８に記載の光学導波管。
【請求項１０】
前記硬化性液体ポリマー材料が、紫外線リソグラフィ及びウェットエッチングの組み合わせ、並びにモールディングから構成される群から選択される方法によって処理される請求項７から９のいずれか一項に記載の光学導波管。
【請求項１１】
光学タッチスクリーンセンサーの部品として使用される光学導波管であって、
前記導波管が、実質的にフレキシブルである基板上に導光部を含み、
前記導光部が、前記光学タッチスクリーンセンサーの操作温度未満であるガラス転移温度を有するポリマーから構成され、
前記導光部が、前記基板の上に実質的に不揮発性である硬化性液体シロキサンポリマーを堆積し、架橋シロキサンポリマーを形成するためにそれを硬化することによって形成される光学導波管。
【請求項１２】
前記導光部が、５０℃未満、さらに好ましくは２５℃未満、及び最も好ましくは１０℃未満のガラス転移温度を有するポリマーから構成される請求項１１に記載の光学導波管。
【請求項１３】
光源、
前記光源からの光を受け取るために光学的に結合され、第一方向に伝播する光線の第一セットを形成する送信導波管部、
前記第一方向において前記送信導波管部から間隙を介して配置され、前記光線の第一セットを受け取る受信導波管部、
前記送信導波管部と前記受信導波管部との間の入力領域、及び
前記受信導波管部と光学的に結合され、前記光線が前記入力領域を横切った後に、前記光線の第一セットのそれぞれにおいて配光を実質的に同時に検出する１つ以上の光検出素子を含む光検出器
を含む装置であって、
前記送信導波管部及び前記受信導波管の少なくとも１つが、導光部及び実質的にフレキシブルな基板を含み、及び、
前記導光部が、前記装置の操作温度未満のガラス転移温度を有するポリマーから構成される装置。
【請求項１４】
光送信部が、単一導波管を含む請求項１３に記載の装置。
【請求項１５】
前記操作温度が、０℃から５０℃の範囲である請求項１３又は１４に記載の装置。
【請求項１６】
前記基板が、ポリマー基板である請求項１３又は１５のいずれか一項に記載の装置。
【請求項１７】
前記ポリマー導光部が、前記ポリマー基板のガラス転移温度よりも小さなガラス転移温度を有する請求項１６に記載の装置。
【請求項１８】
前記ポリマー基板が、８０℃を超える、好ましくは１５０℃を超える及び最も好ましくは３５０℃を超えるガラス転移温度を有する請求項１６又は１７に記載の装置。
【請求項１９】
前記ポリマー導光部が、１００℃未満、好ましくは５０℃未満、さらに好ましくは２５℃未満、及び最も好ましくは１０℃未満のガラス転移温度を有する請求項１３から１８のいずれか一項に記載の装置。
【請求項２０】
前記ポリマー導光部が、前記基板の上に硬化性液体ポリマー材料を堆積し、架橋ポリマー材料を形成するためにそれを硬化することによって形成される請求項１３から１９のいずれか一項に記載の装置。
【請求項２１】
前記硬化性液体ポリマー材料が、実質的に不揮発性である請求項２０に記載の装置。
【請求項２２】
前記硬化性液体ポリマー材料が、紫外線開始フリーラジカル重合によって硬化される請求項２０又は２１に記載の装置。
【請求項２３】
前記硬化性液体ポリマー材料が、紫外線リソグラフィ及びウェットエッチングの組み合わせ、並びにモールディングから構成される群から選択される方法によって処理される請求項２０から２２のいずれか一項に記載の装置。
【請求項２４】
前記装置が、電子デバイス用の入力デバイスであり、
入力領域が、前記送信導波管部と前記受信導波管部との間に形成される請求項１３から２３のいずれか一項に記載の装置。
【請求項２５】
ユーザーが、前記入力領域と接触することによって前記電子デバイスに入力を与える請求項２４に記載の装置。
【請求項２６】
前記送信導波管部が、前記第一方向と異なる第二方向に伝播する光線の第二セットを付加的に形成し、
前記受信導波管部が、前記光線の第二セットを付加的に受け取る請求項１３から２５のいずれか一項に記載の装置。
【請求項２７】
前記第二方向が、前記第一方向と垂直である請求項２６に記載の装置。
【請求項２８】
少なくとも１つの光源、
複数の光検出素子において光度を検出するための光検出器、
面を画定する入力領域、及び
１つ以上のセットの導波管に分けることが可能な複数の導波管を含むリソグラフィにより画定された導波管構造を含む電子デバイス用の入力デバイスであって、
前記光源が、前記導波管構造の導波管の第一セットに光をつなぎ、
光線の第一グリッドを形成するために、前記導波管の第一セットが、前記導波管につなぐ前記光を導き、及び
前記光線の第一グリッドが、第一方向において、前記入力領域を横切り、その後、前記導波管構造の導波管の第二セットによって、前記光検出器の光検出素子に導かれ、
前記導波管の第一セット及び前記第二セットの少なくとも１つが、導光部及び実質的にフレキシブルな基板を含み、
前記導光部が、前記入力デバイスの操作温度未満のガラス転移温度を有するポリマーから構成される入力デバイス。
【請求項２９】
前記操作温度が、０℃から５０℃の範囲である請求項２８に記載の入力デバイス。
【請求項３０】
前記基板が、ポリマー基板である請求項２８又は２９に記載の入力デバイス。
【請求項３１】
前記ポリマー導光部が、前記ポリマー基板のガラス転移温度よりも小さなガラス転移温度を有する請求項３０に記載の入力デバイス。
【請求項３２】
前記ポリマー基板が、８０℃を超える、好ましくは１５０℃を超える及び最も好ましくは３５０℃を超えるガラス転移温度を有する請求項３０又は３１に記載の入力デバイス。
【請求項３３】
前記ポリマー導光部が、５０℃未満、さらに好ましくは２５℃未満、及び最も好ましくは１０℃未満のガラス転移温度を有する請求項２８から３２のいずれか一項に記載の入力デバイス。
【請求項３４】
前記導波管構造の導波管の第三セット及び前記導波管構造の導波管の第四セットをさらに含み、
前記光源が、前記導波管の第三セットに光をつなぎ、
光線の第二グリッドを形成するために、前記導波管の第三セットが、前記導波管につなぐ光を導き、及び、
前記光線の第二グリッドが、前記第一方向と異なる第二方向において、前記入力領域を横切り、その後、前記導波管構造の前記導波管の第四セットによって、前記光検出器の光検出素子に導かれる請求項２８から３３のいずれか一項に記載の入力デバイス。
【請求項３５】
前記導波管の第三セット及び前記第四セットの少なくとも１つが、導光部及び基板を含み、
前記導光部が、前記入力デバイスの操作温度未満のガラス転移温度を有するポリマーから構成される請求項３４に記載の入力デバイス。
【請求項３６】
前記入力領域が、長方形であり、かつ、前記第二方向が、前記第一方向に対して垂直である請求項３４又は３５に記載の入力デバイス。